(57)【特許請求の範囲】
【請求項１】
コンクリート基礎の立ち上がり部の側面に開口部が設けられ、
この開口部を挟む上側の基礎コンクリート部分に、基礎天面と開口部内とに開口する上下方向に貫通した上側ネジ通孔が設けられ、
この上側ネジ通孔に雄ネジ棒が挿通され、
開口部内に突出する雄ネジ棒部分に、開口部内の上面に当接し、上方への雄ネジ棒の抜けを規制する第１ナットが螺合されると共に、
基礎天面から上方に突出する雄ネジ棒部分に、上方への基礎上構造物の外れを規制する第２ナットが螺合され、
これら第１，第２ナットで、基礎上構造物がコンクリート基礎に連結されており、
開口部を通じて第１ナットを緩め、開口部内に突出する雄ネジ棒を上昇させることにより、基礎天面からの雄ネジ棒の突出長さ寸法を大きくすることができるようになされていることを特徴とする基礎と基礎上構造物との不同沈下修復容易な連結構造。
【請求項２】
前記第２ナットよりも下位に位置して雄ネジ棒に受けが備えられ、開口部を通じて雄ネジ棒を上昇させることにより基礎上構造物が受けに支えられて雄ネジ棒とともに上昇するようになされている請求項１に記載の基礎と基礎上構造物との不同沈下修復容易な連結構造。
【請求項３】
前記開口部を挟む下側の基礎コンクリート部分に、上側ネジ通孔と同じ軸線上を延びて開口部内に開口する下側のネジ通孔が設けられ、前記雄ネジ棒が下側のネジ通孔内にも挿入されており、
開口部内において雄ネジ棒には第１ナットより下に、開口部内の下面に当接して雄ネジ棒の下降を規制する第３ナットが螺合されている請求項１又は２に記載の基礎と基礎上構造物との不同沈下修復容易な連結構造。
【発明の詳細な説明】
【０００１】
【発明の属する技術分野】
本発明は、基礎と基礎上構造物との不同沈下修復容易な連結構造に関する。
【０００２】
【従来の技術】
軟弱地盤地域に建てられた建物では、地盤の圧密沈下などによって建物が不同沈下を起こすことがある。このような不同沈下に対する建物の修復方法として、コンクリート基礎と、基礎上構造物としての例えば土台とのアンカーボルトによる連結を一旦解除し、土台をジャッキアップでコンクリート基礎の天面から上昇させ、土台と基礎天面との間にプレートなどの詰め物をし、再度、アンカーボルトで土台をコンクリート基礎に連結するという方法がある。
【０００３】
【発明が解決しようとする課題】
しかしながら、この土台上昇による不同沈下修復方法において、不同沈下の不同の程度が大きいために土台をコンクリート基礎の天面から大きく上昇させなければ修復ができないような場合があり、そのような場合に、コンクリート基礎の天面から上方に突出するアンカーボルトの雄ネジ棒部の高さ寸法が不足してしまい、土台を再度このアンカーボルトでコンクリート基礎に連結するのが困難ないしは不可能となることがある。
【０００４】
そこで、コンクリート基礎の天面から上方に突出するアンカーボルトの雄ネジ棒部の高さ寸法を予め大きくしておくことも考えられるが、他との取り合い関係からできないことが多い。
【０００５】
また、不同沈下修復時において、他との取り合い関係で、アンカーボルトに螺合され土台をコンクリート基礎に連結しているナットを緩めることや、土台の設置されているコンクリート基礎の天面部にアクセスすることさえも困難ないし不可能なことがあり、不同沈下の修復が困難ないし不可能となる場合がある。
【０００６】
本発明は、上記のような従来の問題点に鑑み、不同沈下の修復において、土台などの基礎上構造物をコンクリート基礎の天面から大きく上昇させた場合でも、基礎上構造物とコンクリート基礎とを再度容易に連結することができ、また、他との取り合い関係で、基礎上構造物をコンクリート基礎に連結しているナットを緩めることや、基礎上構造物の設置されているコンクリート基礎の天面部にアクセスすることさえも困難ないし不可能な場合であっても不同沈下を容易に修復することができる、基礎と基礎上構造物との不同沈下修復容易な連結構造及び連結方法を提供することを課題とする。
【０００７】
【発明が解決しようとする課題】
上記の課題は、コンクリート基礎の立ち上がり部の側面に開口部が設けられ、この開口部を挟む上側の基礎コンクリート部分に、基礎天面と開口部内とに開口する上下方向に貫通した上側ネジ通孔が設けられ、
この上側ネジ通孔に雄ネジ棒が挿通され、
開口部内に突出する雄ネジ棒部分に、開口部内の上面に当接し、上方への雄ネジ棒の抜けを規制する第１ナットが螺合されると共に、
基礎天面から上方に突出する雄ネジ棒部分に、上方への基礎上構造物の外れを規制する第２ナットが螺合され、
これら第１，第２ナットで、基礎上構造物がコンクリート基礎に連結されており、
開口部を通じて第１ナットを緩め、開口部内に突出する雄ネジ棒を上昇させることにより、基礎天面からの雄ネジ棒の突出長さ寸法を大きくすることができるようになされていることを特徴とする基礎と基礎上構造物との不同沈下修復容易な連結構造によって解決される。
【０００８】
この構造では、開口部を通じて第１ナットを緩め、開口部内に突出する雄ネジ棒を上昇させることにより、基礎天面からの雄ネジ棒の突出長さ寸法を大きくすることができるようになされているので、不同沈下の修復において、基礎上構造物をコンクリート基礎の天面から大きく上昇させなければならないような場合であっても、基礎天面からの雄ネジ棒の突出長さ寸法を大きくし、上昇させた基礎上構造物とコンクリート基礎とを同じ雄ネジ棒を用いて再度容易に連結することができる。
【０００９】
しかも、修復前の基礎天面から突出する雄ネジ棒の高さ寸法を修復に際して大きくすることができるようになされているものであるから、修復前の当初の雄ネジ棒の基礎天面突出高さ寸法はこれを小さくすることができ、そのため、他との取り合い関係に不都合を生じさせることもない。
【００１０】
更に、コンクリート基礎の立ち上がり部の高さ方向中間部の側面に設けられている開口部を通じて雄ネジ棒を上昇させることができるようになされているので、取り合い関係の込み入りやすい基礎天面部にアクセスして雄ネジ棒を上昇させる必要がなく、雄ネジ棒を開口部を通じて容易に上昇させることができる。
【００１１】
上記の構造において、第２ナットよりも下位に位置して雄ネジ棒に受けが備えられ、開口部を通じて雄ネジ棒を上昇させることにより基礎上構造物が受けに支えられて雄ネジ棒とともに上昇するようになされているとよい。
【００１２】
この場合は、不同沈下の修復において開口部を通じて雄ネジ棒を上昇させれば、基礎上構造物も受けによって同時に上昇するようになされているので、基礎上構造物を上昇させる際に基礎天面側の第２ナットを操作する必要がなく、そのため、不同沈下の修復を施工容易に行っていくことができる。
【００１３】
しかも、このように、開口部を通じて雄ネジ棒を上昇させることで基礎上構造物も上昇するようになされているから、取り合い関係の込み入りやすい基礎天面部にアクセスせずに基礎上構造物を上昇させることができる。
【００１４】
また、上記の構造において、開口部を挟む下側の基礎コンクリート部分に、上側ネジ通孔と同じ軸線上を延びて開口部内に開口する下側のネジ通孔が設けられ、前記雄ネジ棒が下側のネジ通孔内にも挿入されており、
開口部内において雄ネジ棒には第１ナットより下に、開口部内の下面に当接して雄ネジ棒の下降を規制する第３ナットが螺合されているのもよい。
【００１５】
この構造では、この第３ナットと第１ナットとで、雄ネジ棒それ自体を必要な高さ位置でコンクリート基礎と連結一体化することができる。また、雄ネジ棒を上昇させた際に、この第３ナットが雄ネジ棒を支え、この雄ネジ棒を不本意に下降してしまわないようにその高さ位置に保持することができる。
【００１６】
【発明の実施の形態】
次に、本発明の実施形態を図面に基づいて説明する。
【００１７】
図１及び図２に示す実施形態の連結構造は、建物の屋外に面しない内部の基礎と基礎上構造物との連結に用いた場合のものである。１はコンクリート基礎で、布基礎からなり、２は基礎上構造物としてのベースプレートである。
【００１８】
コンクリート基礎１の立ち上がり部１ａの側面には、貫通した開口部３が設けられ、この開口部３を挟む上側のコンクリート部分に、基礎１の天面と開口部３内とに開口する上下方向に貫通した上側ネジ通孔４が設けられている。また、開口部３を挟む下側の基礎コンクリート部分には、上側ネジ通孔４と同じ軸線上を延びて開口部３内に開口する下側ネジ通孔５が設けられている。これら上下のネジ通孔４，５は、例えば、鋼管６，６を基礎コンクリート中に埋込み状態に入れることで形成することができる。
【００１９】
これら上下のネジ通孔４，５に渡すように雄ネジ棒７が挿通されている。この雄ネジ棒７には、開口部３内において、開口部３内の上面に当接して上方への雄ネジ棒７の抜けを規制する第１ナット８と、開口部３内の下面に当接して雄ネジ棒７が下降するのを規制する第３ナット１０とが螺合されている。
【００２０】
また、基礎１の天面から上方に突出する雄ネジ棒部分７ａには、ベースプレート２の上面に当接して、上方へのベースプレート２の外れを規制する第２ナット９が螺合され、更に、この雄ネジ棒７には、この第２ナット９よりも下位に位置してベースプレート２を下から受ける受け１３が備えられている。
【００２１】
また、雄ネジ棒７には、開口部３内において、第１ナット８と第３ナット１０との間に位置して、雄ネジ棒７を上昇させるための上下の第４、第５ナット１１，１２が螺合されている。
【００２２】
そして、第１ナット８が開口部３内の上面に締め付けられると共に、第３ナット１０が開口部３内の下面に締め付けられ、かつ、第３ナット１０がベースプレート２の上面に締め付けられて、ベースプレート２は、第３ナット１０と基礎１の天面との間に挟み込まれて、コンクリート基礎１に連結されている。なお、受け１３は、コンクリート基礎１の天面部に設けた凹所１４内に存置されている。
【００２３】
上記のような連結構造において、建物に不同沈下を生じた場合、その修復は次のようにして行うことができる。即ち、まず、図３（イ）に示すように、開口部３を通じて、第１ナット８を緩めて下降させる。そして、図３（ロ）に示すように、開口部３内の第４、第５ナット１１，１２を適当な高さ位置に位置させ、これら第４、第５ナット１１，１２間にジャッキアップ用の補助鉄板１５を挟み込み、図３（ハ）に示すように、油圧ジャッキ１６等でこの補助鉄板１５を持ち上げる。これにより、ベースプレート２は、雄ネジ棒７の受け１３に支えられて、雄ネジ棒７とともに基礎１の天面から上昇していく。
【００２４】
こうして雄ネジ棒７を修復高さ位置まで上昇させた後、図４（ニ）に示すように、第３ナット１０を開口部３内の下面位置まで降ろして雄ネジ棒７が下降してしまわないように保持し、図４（ホ）に示すように、ベースプレート２と基礎１の天面との間に、プレート１７…などによる詰め物をする。そして最後に、図４（へ）に示すように、第１ナット８を開口部３内の上面に締め付ける。第１ナット８の締付けにより、ベースプレート２と詰め物１７とが第１ナット８と第２ナット９とに挟み込まれ、ベースプレート２は修復高さ位置においてコンクリート基礎１としっかり連結され、建物の不同沈下が修復される。
【００２５】
このように、上記の連結構造によれば、不同沈下の修復において、ベースプレート２をコンクリート基礎１の天面から大きく上昇させなければならないような場合であっても、基礎１の天面からの雄ネジ棒７の突出部分７ａの高さ寸法を雄ネジ棒７を上昇させることで大きくすることができ、上昇させたベースプレート２とコンクリート基礎１とを同じこの雄ネジ棒７を用いて再度容易に連結することができる。しかも、修復前の当初の雄ネジ棒７の基礎天面突出高さ寸法はこれを小さくさせておくことができ、そのため、他との取り合い関係に不都合を生じさせることもない。
【００２６】
また、雄ネジ棒７の上昇操作は、開口部３を通じて行うことができるので、取り合い関係の込み入りやすい基礎１の天面部にアクセスしなくともよい。また、ベースプレート２の上昇操作に際しても、第２ナット９を操作する必要はなく、開口部３を通じて雄ネジ棒７を上昇させることでベースプレート２を上昇させることができ、ベースプレート２を上昇させるのに、コンクリート基礎１の天面部にアクセスする必要もない。更に、ベースプレート２を上昇させた後のベースプレート２とコンクリート基礎１との連結においても、開口部３を通じて第１ナット８を締めるだけでよく、第２ナット９を操作する必要はなく、コンクリート基礎１の天面部にアクセスする必要がない。従って、基礎１が屋外に面しない内部基礎であるような場合であっても、床下空間部を利用して、コンクリート基礎１の天面部にアクセスせずに、不同沈下の修復を容易に行っていくことができる。
【００２７】
以上に、本発明の実施形態を示したが、本発明はこれに限られるものではなく、発明思想を逸脱しない範囲で、各種の変更が可能である。例えば、上記の実施形態では、受け１３が備えられ、雄ネジ棒７を上昇させることで、基礎上構造物であるベースプレート２も上昇するように構成して、雄ネジ棒７とベースプレート２の上昇をスムーズに行えるように構成しているが、受け１３を省略し、雄ネジ棒７を上昇させてもベースプレート２は上昇しないようにし、ベースプレート２の上昇は別途にジャッキアップなどで行うようにする連結構造としてもよい。
また、上記の実施形態では、コンクリート基礎１の立ち上がり部１ａの側面に設けられている開口部３は、立ち上がり部１ａの両側面に開口した孔で構成されているが、この立ち上がり部１ａの一方の側面にのみ開口する凹所からなるものであってもよい。また、コンクリート基礎１の開口部３を挟む下側のネジ通孔５と第３ナット１０は省略されてもよいし、雄ネジ棒７を上昇させるための操作部は、第４，第５ナット１１，１２によるものに替えて他のものが採用されてもよい。また、本発明は、屋外に面する外部基礎に用いられてもよい。基礎上構造物についても、上記のようなベースプレート２に限らず、土台であってもよいし、他のものであってもよく、要は、コンクリート基礎１の天面から上方に突出される雄ネジ棒部分によって連結される構造物であればよい。
【００２８】
【発明の効果】
本発明は、以上のとおりのものであるから、不同沈下の修復において、土台などの基礎上構造物をコンクリート基礎の天面から大きく上昇させた場合でも、基礎上構造物とコンクリート基礎とを再度容易に連結することができる。また、他との取り合い関係で、基礎上構造物をコンクリート基礎に連結しているナットを緩めることや、基礎上構造物の設置されているコンクリート基礎の天面部にアクセスすることさえも困難ないし不可能な場合であっても不同沈下を容易に修復することができる。
【図面の簡単な説明】
【図１】実施形態の基礎と基礎上構造物との連結構造を示す断面側面図である。
【図２】同正面図である。
【図３】図（イ）〜図（ハ）は、図４（ニ）〜（へ）とともに、不同沈下修復の方法を順次に示す断面側面図である。
【図４】図（ニ）〜図（へ）は、図３（イ）〜（ハ）とともに、不同沈下修復の方法を順次に示す断面側面図である。
【符号の説明】
１…コンクリート基礎
１ａ…立ち上がり部
２…ベースプレート（基礎上構造物）
３…開口部
４…上側ネジ通孔
５…下側ネジ通孔
７…雄ネジ棒
８…第１ナット
９…第２ナット
１０…第３ナット
１３…受け
【図１】
0004615792.tif 000002
【図２】
0004615792.tif 000003
【図３】
0004615792.tif 000004
【図４】
0004615792.tif 000005